(57)【要約】  外部隠しヒンジ（１０）は、少なくとも１８０度の開放運動または回転角度を可能にしながら、側壁（２５）にドア（２０）を旋回可能に接続するために設けられている。外部ヒンジ（１０）は、ドア（２０）の全閉位置（１５）で、側壁（２５）とドア（２０）の背後に実質的に隠される。１つの実施形態では、外部ヒンジ（１０）は、側壁（２５）の内面（４５）に取り付けられた第１の部分（４０ａ）の第１のピボットピン（３５ａ）と、ドア（２０）の内面（５０）に取り付けられた第２の部分（４０ｂ）の第２のピボットピン（３５ｂ）との間に延びる第１の湾曲アーム（３０ａ）を有している。外部ヒンジ（１０）はさらに、側壁（２５）の内面（４５）に取り付けられた第１の部分（４０ａ）の第３のピボットピン（３５ｃ）と、ドア（２０）の内面（５０）に取り付けられた第２の部分（４０ｂ）の第４のピボットピン（３５ｄ）との間に延びる第２の湾曲アーム（３０ｂ）を有している。
2019504951.tif 000002
【特許請求の範囲】
【請求項１】
側壁（２５）とドア（２０）とを有する組み合わせ体における、前記ドア（２０）を前記側壁（２５）に旋回可能に接続するための外部ヒンジ（１０）であって、
前記側壁（２５）の内面（４５）に取り付けられる第１の部分（４０ａ）の第１のピボットピン（３５ａ）と、前記ドア（２０）の内面（５０）に取り付けられる第２の部分（４０ｂ）の第２のピボットピン（３５ｂ）との間に延びる第１の湾曲アーム（３０ａ）であって、前記第１のピボットピン（３５ａ）と前記第２のピボットピン（３５ｂ）とは、ドア開口部に対して全開位置と全閉位置（１５）との間で前記ドア（２０）の旋回を可能にするように、回転可能に取り付けられている、第１の湾曲アーム（３０ａ）と、
前記側壁（２５）の前記内面（４５）に取り付けられる前記第１の部分（４０ａ）の第３のピボットピン（３５ｃ）と、前記ドア（２０）の前記内面（５０）に取り付けられる前記第２の部分（４０ｂ）の第４のピボットピン（３５ｄ）との間に延びる第２の湾曲アーム（３０ｂ）であって、前記第３のピボットピン（３５ｃ）と前記第４のピボットピン（３５ｄ）とは、前記全開位置と前記全閉位置（１５）との間で前記ドア（２０）の旋回を可能にするように、回転可能に取り付けられている、第２の湾曲アーム（３０ｂ）と、
を備え、
当該外部ヒンジ（１０）は、前記ドア（２０）の前記全閉位置（１５）で、前記側壁（２５）と前記ドア（２０）の背後に実質的に隠されている、外部ヒンジ（１０）。
【請求項２】
前記第１の部分（４０ａ）は、前記側壁（２５）の水平面（６０）から横方向に延びるベースプレート（５５）に連結されている、請求項１記載の外部ヒンジ。
【請求項３】
前記ドア（２０）が前記全閉位置（１５）にあるとき、前記ドア（２０）の外面（６５）は、前記水平面（６０）において前記側壁（２５）の外面（７０）に整列している、請求項２記載の外部ヒンジ。
【請求項４】
前記第２の部分（４０ｂ）は、前記ドア（２０）が前記全閉位置（１５）にあるとき、前記水平面（６０）において前記側壁（２５）とほぼ同一平面で整列する前記ドア（２０）に連結されている、請求項３記載の外部ヒンジ。
【請求項５】
前記第１の湾曲アーム（３０ａ）は実質的に、前記第１の部分（４０ａ）の前記第１のピボットピン（３５ａ）と前記第２の部分（４０ｂ）の前記第２のピボットピン（３５ｂ）との間の中間点を中心とする半径のまわりに湾曲している、請求項１記載の外部ヒンジ。
【請求項６】
前記第２の湾曲アーム（３０ｂ）は実質的に、前記第１の部分（４０ａ）の前記第３のピボットピン（３５ｃ）と前記第２の部分（４０ｂ）の前記第４のピボットピン（３５ｄ）との間の中間点を中心とする半径のまわりに湾曲している、請求項１記載の外部ヒンジ。
【請求項７】
前記第２の湾曲アーム（３０ｂ）は、前記第１の湾曲アーム（３０ａ）の長さよりも長い、請求項１記載の外部ヒンジ。
【請求項８】
前記第１のピボットピン（３５ａ）、前記第２のピボットピン（３５ｂ）、前記第３のピボットピン（３５ｃ）、および前記第４のピボットピン（３５ｄ）は、互いに平行なヒンジ結合の各軸の周りに旋回する、請求項１記載の外部ヒンジ。
【請求項９】
前記第１の湾曲アーム（３０ａ）と前記第２の湾曲アーム（３０ｂ）とは、前記第１の部分（４０ａ）および前記第２の部分（４０ｂ）の厚さ（８０）分だけ互いにずらされており、前記第１の部分（４０ａ）および前記第２の部分（４０ｂ）に接続する点に隣接して互いに旋回可能に接続されている、請求項１記載の外部ヒンジ。
【請求項１０】
前記第１の湾曲アーム（３０ａ）と前記第２の湾曲アーム（３０ｂ）とは、前記ヒンジ（１０）の第１の端部で、第１の方向（８５ａ）で互いに横方向に配置されており、かつ前記ヒンジ（１０）の第２の端部で、第２の方向（８５ｂ）で互いに横方向に配置されており、前記第１の方向（８５ａ）は前記第２の方向（８５ｂ）に対して垂直であるようになっている、請求項１記載の外部ヒンジ。
【請求項１１】
ドアの開放を規定するために可動な外部隠しヒンジ（１０）であって、該外部隠しヒンジ（１０）は、
第１の端部（９０ａ）および第２の端部（９０ｂ）を有する第１の可動リンク（３０ａ）であって、該第１の可動リンク（３０ａ）の前記第１の端部（９０ａ）は側壁（２５）に連結されており、該第１の可動リンク（３０ａ）の前記第２の端部（９０ｂ）はドア（２０）に連結されている、第１の可動リンク（３０ａ）と、
第１の端部（９０ｃ）および第２の端部（９０ｄ）を有する第２の可動リンク（３０ｂ）であって、該第２の可動リンク（３０ｂ）の前記第１の端部（９０ｃ）は前記側壁（２５）に連結されており、該第２の可動リンク（３０ｂ）の前記第２の端部（９０ｄ）は前記ドア（２０）に連結されている、第２の可動リンク（３０ｂ）と、
を備え、
前記第２の可動リンク（３０ｂ）は、前記第１の可動リンク（３０ａ）に対してリンクの連続的なセットとして、インターデジタル型に配置されており、かつ前記第１の可動リンク（３０ａ）とは独立して動くように構成されており、
前記外部隠しヒンジ（１０）の運動中、前記第２の可動リンク（３０ｂ）は、前記第１の可動リンク（３０ａ）とスライド接触し、
前記第１の可動リンク（３０ａ）と前記第２の可動リンク（３０ｂ）とは、ドア開口部に対して相対的な前記ドア（２０）の全閉位置（１５）で、前記側壁（２５）と前記ドア（２０）の背後に実質的に隠されている、
外部隠しヒンジ（１０）。
【請求項１２】
前記第１の可動リンク（３０ａ）は、前記ドア（２０）の前記全閉位置（１５）で、前記側壁（２５）と前記ドア（２０）の背後に実質的に隠される第１のピボットピン（３５ａ）と第２のピボットピン（３５ｂ）とを含む、請求項１１記載の外部隠しヒンジ（１０）。
【請求項１３】
前記第２の可動リンク（３０ｂ）は、前記ドア（２０）の前記全閉位置（１５）で、前記側壁（２５）と前記ドア（２０）の背後に実質的に隠される第３のピボットピン（３５ｃ）と第４のピボットピン（３５ｄ）とを含む、請求項１２記載の外部隠しヒンジ（１０）。
【請求項１４】
前記第１のピボットピン（３５ａ）、前記第２のピボットピン（３５ｂ）、前記第３のピボットピン（３５ｃ）、および前記第４のピボットピン（３５ｄ）は、互いに平行なヒンジ結合の各軸の周りに旋回する、請求項１３記載の外部隠しヒンジ（１０）。
【請求項１５】
前記側壁（２５）の内面（４５）に取り付けられる第１の部分（４０ａ）と、
前記ドア（２０）の内面（５０）に取り付けられる第２の部分（４０ｂ）と、をさらに備え、
前記第１の可動リンク（３０ａ）と前記第２の可動リンク（３０ｂ）とは、前記第１の部分（４０ａ）および前記第２の部分（４０ｂ）の厚さ（８０）分だけ互いにずらされており、前記第１の部分（４０ａ）および前記第２の部分（４０ｂ）に接続する点に隣接して互いに旋回可能に接続されており、
前記第２の可動リンク（３０ｂ）は、前記第１の可動リンク（３０ａ）の長さよりも長く、
前記第１の可動リンク（３０ａ）と前記第２の可動リンク（３０ｂ）とは、前記外部隠しヒンジ（１０）の第１の端部で、第１の方向（８５ａ）で互いに横方向に配置されており、かつ前記第１の可動リンク（３０ａ）と前記第２の可動リンク（３０ｂ）とは、前記外部隠しヒンジ（１０）の第２の端部で、第２の方向（８５ｂ）で互いに横方向に配置されており、前記第１の方向（８５ａ）は、前記第２の方向（８５ｂ）に対して垂直であるようになっている、請求項１１記載の外部隠しヒンジ（１０）。
【発明の詳細な説明】
【技術分野】
【０００１】
本発明の態様は、一般にヒンジに関し、より具体的には、ドアの内側にヒンジを隠す、側壁の表面およびドアの表面に取り付けられる外部ヒンジに関する。
【背景技術】
【０００２】
機器やキャビネット用のドアでは、多様なニーズに合わせるために様々なヒンジが使用される。ヒンジの動きは、全開位置から全閉位置まで一般的に約１８０°に制限されている。
【０００３】
多くの場合、ヒンジはキャビネットやドアの表面に取り付けられており、製品の美観を損なっている。したがって、ヒンジの部分をドアの内側に隠すことが望ましい。しかしながら、隠されたドアヒンジであっても、ドアを閉じた場合は、正面からヒンジピンが見える可能性がある。関係者以外が、露出したヒンジピンを壊してドア内へと侵入したくなるかもしれない。
【０００４】
さらには、ヒンジには、容易に組み立てられるごく僅かな部品から成る極めてシンプルで安価な構造が求められるかもしれない。このようなドアヒンジは、ドアを完全開位置へと旋回させることができるが、ヒンジを完全に見えなくすることはできない。しかしながら、鉄道車両のサイドスカートは１８０度開く必要があるが、目に見える外部ヒンジは有していない。より詳細には、見えないヒンジは、ドアが閉じているときに完全に隠す必要があり、ドアが開いているときにコンパクトできれいな外観を示す必要がある。
【０００５】
過去には、１３０〜１４０度の開放を可能にする隠しシングルピボットヒンジや、１８０度の開放を得るために外部から見える典型的なドアヒンジがあった。
【０００６】
したがって、隠された外部ヒンジのような用途のためにヒンジを改良する必要がある。
【発明の概要】
【課題を解決するための手段】
【０００７】
簡潔に言うと、本発明の態様は、ドアが閉じているときにヒンジ自体を完全に隠すことができ、ドアが開いているときにコンパクトできれいな外観を示すことができる、見えないヒンジとして構成された隠しヒンジに関する。特に、１８０度の開放または動きを可能にする隠しマルチピボットヒンジが、側壁およびドアに取り付けられるように設けられている。例えば、４つのピボット点と２つの接続リンクとを有する隠しヒンジは、１８０度の開放を得るために設けられている。このような隠しマルチピボットヒンジを、外部隠しヒンジが必要とされる様々な環境、例えば側壁のドアまたは鉄道車両のサイドスカートに取り付けられるように構成できることが、当業者には理解されるだろう。
【０００８】
本発明の例示的な一実施形態によれば、ドアを側壁に旋回可能に接続するための外部ヒンジが設けられている。この外部ヒンジは、側壁の内面に取り付けられる第１の部分の第１のピボットピンと、ドアの内面に取り付けられる第２の部分の第２のピボットピンとの間に延びる第１の湾曲アームを有している。第１のピボットピンと第２のピボットピンとは、ドア開口部に対して全開位置と全閉位置との間でドアの旋回を可能にするように、回転可能に取り付けられている。外部ヒンジはさらに、側壁の内面に取り付けられる第１の部分の第３のピボットピンと、ドアの内面に取り付けられる第２の部分の第４のピボットピンとの間に延びる第２の湾曲アームを有している。第３のピボットピンと第４のピボットピンとは、全開位置と全閉位置との間でドアの旋回を可能にするように、回転可能に取り付けられている。ドアの全閉位置で、外部ヒンジは側壁とドアの背後に実質的に隠される。
【０００９】
本発明の別の例示的な実施形態によれば、ドアの開放を規定するために可動な外部隠しヒンジが設けられている。この外部隠しヒンジは、第１および第２の端部を有する第１の可動リンクと、第１および第２の端部の端部を有する第２の可動リンクとを備えている。第１の可動リンクの第１の端部は側壁に連結され、第１の可動リンクの第２の端部はドアに連結されており、第２の可動リンクの第１の端部は側壁に連結され、第２の可動リンクの第２の端部はドアに連結されている。第２の可動リンクは、第１の可動リンクに対してリンクの連続的なセットとして、インターデジタル型に配置されており、かつ第１の可動リンクとは独立して動くように構成されている。外部隠しヒンジの運動中、第２の可動リンクは、第１の可動リンクに対してスライド接触している。第１の可動リンクと第２の可動リンクとは、ドア開口部に対して相対的なドアの全閉位置で、側壁とドアの背後に実質的に隠される。
【００１０】
本発明のさらに別の例示的な実施形態によれば、ヒンジによって側壁にドアをヒンジ固定する方法が提供される。この方法は、第１および第２の端部を有する第１の可動リンクによって、ヒンジの第１の部分をヒンジの第２の部分に接続するステップであって、第１の可動リンクの第１の端部は側壁に連結され、第１の可動リンクの第２の端部はドアに連結されている、ステップと、第１および第２の端部を有する第２の可動リンクによって、ヒンジの第１の部分をヒンジの第２の部分に接続するステップであって、第２の可動リンクの第１の端部は側壁に連結され、第２の可動リンクの第２の端部はドアに連結されている、ステップと、を含み、第２の可動リンクは、第１の可動リンクに対してリンクの連続的なセットとして、インターデジタル型に配置されており、第１の可動リンクとは独立して動くようになっており、ヒンジの運動中、第２の可動リンクは、第１の可動リンクに対してスライド接触し、第１の可動リンクと第２の可動リンクとは、ドア開口部に対して相対的なドアの全閉位置で、側壁とドアの背後に実質的に隠される。
【図面の簡単な説明】
【００１１】
【図１】本発明の実施形態による、全閉位置にある隠しヒンジを示す等角図である。
【図２】本発明の実施形態による、１／４開放位置にある図１の隠しヒンジを示す等角図である。
【図３】本発明の実施形態による、半開放位置にある図１の隠しヒンジを示す等角図である。
【図４】本発明の実施形態による、３／４開放位置にある図１の隠しヒンジを示す等角図である。
【図５】本発明の実施形態による、全開位置にある図１の隠しヒンジを示す等角図である。
【図６】本発明の実施態様により、隠しヒンジが、隠されたままで、外部ヒンジの動きをどのように達成するかを示す、図１の隠しヒンジの側面図である。
【図７】本発明の実施態様により、隠しヒンジが、隠されたままで、外部ヒンジの動きをどのように達成するかを示す、図１の隠しヒンジの側面図である。
【図８】本発明の実施態様により、隠しヒンジが、隠されたままで、外部ヒンジの動きをどのように達成するかを示す、図１の隠しヒンジの側面図である。
【図９】本発明の実施態様により、隠しヒンジが、隠されたままで、外部ヒンジの動きをどのように達成するかを示す、図１の隠しヒンジの側面図である。
【図１０】本発明の実施態様により、隠しヒンジが、隠されたままで、外部ヒンジの動きをどのように達成するかを示す、図１の隠しヒンジの側面図である。
【図１１】本発明の実施態様により、隠しヒンジが、隠されたままで、外部ヒンジの動きをどのように達成するかを示す、図１の隠しヒンジの側面図である。
【図１２】本発明の実施形態による、全閉位置にある、ガスストラットを備えた隠しヒンジを示す等角図である。
【図１３】本発明の実施形態による、全開位置にある図１２の隠しヒンジを示す等角図である。
【図１４】本発明の実施形態による、隠しヒンジによって側壁にドアをヒンジ固定する方法を示すフローチャートである。
【発明を実施するための形態】
【００１２】
本発明の実施形態、原理および特徴の理解を容易にするために、例示の実施形態を参照して以下で本発明を説明する。特に本発明の実施形態は、外部隠しヒンジの１８０度の開放または回転角度を可能にしながら、側壁にドアをヒンジ固定するために構成された外部隠しヒンジであるという文脈で説明される。例えば、このような隠しヒンジは、４つのピボット点と２つの接続リンクとを含む。しかしながら、本発明の実施形態は、説明した機器または方法での使用に限定されるものではない。
【００１３】
様々な実施の形態を形成するものとして以下に記載する構成要素および材料は、例示であって、限定的なものを意図したものではない。本明細書に記載する材料と同じまたは類似の機能を奏するであろう適切な多くの構成部品および材料は、本発明の実施形態の範囲内に包含されることを意図している。
【００１４】
本発明の１つの実施形態によれば、図１には、ドアの開放を規定するために可動な隠しヒンジ１０が、全閉位置１５で示されている。隠しヒンジ１０は、隠しヒンジ１０の１８０度の開放または回転角度を可能にしながら、側壁２５にドア２０をヒンジ固定するために構成されている。隠しヒンジ１０を閉じながらドア２０が側壁２５に向かって回転されると、ドア２０は側壁２５の上に重ねられる。様々な部材およびリンクの最終位置は図１に示されており、隠しヒンジ１０の全機構は、ドア２０が閉じられた場合には見えない。
【００１５】
隠しヒンジ１０は、第１および第２の可動接続リンクを有する４ピボット点構造である。第１および第２の可動接続リンクは、本発明の例示の実施形態によれば、第１および第２の湾曲アーム３０ａ，３０ｂとして示されている。１つではなく４つのピボット点を利用することにより、様々に調整可能な経路を有する効果的なピボット（瞬間回転中心）が形成される。１行程にわたってこの効果的なピボットを上昇させることにより、ドア２０は、その回転中に外側に向かって動くことができ、全開位置のような所望な最終位置で停止することができる。
【００１６】
１つの実施形態では、隠しヒンジ１０は、ステンレス鋼などの金属から成っていてよい。しかしながら、当業者であれば、特別な用途および／または所望の目的に基づき、本発明の精神と範囲を逸脱することなくその他の適切な材料を使用できることがわかるだろう。
【００１７】
本明細書で使用する場合、「隠しヒンジ」とは、本明細書で記載するように、ドアを側壁にヒンジ固定するために使用される見えないヒンジに対応する、シングルピボットまたはマルチピボットの外部ヒンジを意味し、このヒンジによって、少なくとも１８０度の開放と回転角度とを可能とし、ドアが全閉位置にあるときには完全に視界から隠されている。いくつかの構成要素が、「マルチピボット外部ヒンジ」に含まれてよいことを理解されたい。「マルチピボット外部ヒンジ」は、その特徴、例えば、回転の程度、構造の形式、ピボットの形式、ピボット点、またはピンの数、およびその他の構造的特徴に基づくヒンジ機能を提供するために、操作可能であってよい。
【００１８】
図１に示したように、隠しヒンジ１０は、ドア２０を側壁２５に旋回可能に接続するために設けられている。隠しヒンジ１０は、側壁２５の内面４５に取り付けられる第１の部分４０ａの第１のピボットピン３５ａと、ドア２０の内面５０に取り付けられる第２の部分４０ｂの第２のピボットピン３５ｂとの間に延びる、第１の湾曲アーム３０ａを有している。第１のピボットピン３５ａと第２のピボットピン３５ｂとは、ドア開口部に対して全開位置と全閉位置との間でドアの旋回を可能にするように、回転可能に取り付けられている。
【００１９】
隠しヒンジ１０はさらに、側壁２５の内面４５に取り付けられる第１の部分４０ａの第３のピボットピン３５ｃと、ドア２０の内面５０に取り付けられる第２の部分４０ｂの第４のピボットピン３５ｄと、の間に延びる第２の湾曲アーム３０ｂを有している。第３のピボットピン３５ｃと第４のピボットピン３５ｄとは回転可能に取り付けられているので、ドア２０は、全開位置と全閉位置１５との間で旋回することができる。ドア２０の全閉位置１５で、隠しヒンジ１０は、側壁２５とドア２０の背後に実質的に隠される。
【００２０】
隠しヒンジ１０の第１の部分４０ａは、側壁２５の水平面６０から横断方向に延びるベースプレート５５に連結されている。第１の部分４０ａは、ベースプレート５５に任意の適切な固定手段、例えば、ねじ、リベット、接着剤、溶接等、いずれもベースプレート５５に一部を固定する手段を構成している固定手段によって固定されてよい。ドア２０が全閉位置１５にあるとき、ドア２０の外面６５は、水平面６０において側壁２５の外面７０に整列している。
【００２１】
隠しヒンジ１０の第２の部分４０ｂは、ドア２０が全閉位置１５にあるとき、水平面６０において側壁２５とほぼ同一平面で整列するドア２０に連結されている。第２の部分４０ｂは、ドア２０に任意の適切な固定手段、例えば、ねじ、リベット、接着剤、溶接等、いずれもドア２０に一部を固定する手段を構成している固定手段によって固定されてよい。
【００２２】
隠しヒンジ１０の第１の部分４０ａは、第１のピボットピン３５ａを収容する第１の穴（図示せず）と、第２のピボットピン３５ｂを収容する第２の穴（図示せず）とを有している。第１の穴と第２の穴とは長手方向で整列しており、互いに間隔を置いて離間されている。第１の穴と第２の穴とは、第１の部分４０ａの基部に対して異なる高さに位置している。
【００２３】
隠しヒンジ１０の第２の部分４０ｂは、第３のピボットピン３５ｃを収容する第３の穴（図示せず）と、第４のピボットピン３５ｄを収容する第４の穴（図示せず）とを有している。第３の穴と第４の穴とは長手方向で整列しており、互いに間隔を置いて離間されている。第３の穴と第４の穴とは、第２の部分４０ｂの基部に対して異なる高さに位置している。
【００２４】
より具体的には、第１の部分４０ａは第１のフランジ７２ａと第２のフランジ７２ｂとを含み、これらフランジがそれぞれ、対応するピボットピンを収容する穴を有している。第１のフランジ７２ａと第２のフランジ７２ｂとは、第１の部分４０ａの第１の基部７３ａの縁部から外側に向かって突出している。第１のフランジ７２ａを貫通する穴と第２のフランジ７２ｂを貫通する穴とは、軸方向で互いに整列しており、離間した位置に配置されている。
【００２５】
同様に、第２の部分４０ｂは第３のフランジ７２ｃと第４のフランジ７２ｄとを含み、これらフランジがそれぞれ、ピボットピンを収容する穴を有している。第３のフランジ７２ｃと第４のフランジ７２ｄとは、第２の部分４０ｂの第２の基部７３ｂの縁部から外側に向かって突出している。第３のフランジ７２ｃを貫通する穴と第４のフランジ７２ｄを貫通する穴とは、軸方向で互いに整列しており、離間した位置に配置されている。
【００２６】
図１には、第１のピボットピン３５ａと、第２のピボットピン３５ｂと、第３のピボットピン３５ｃと、第４のピボットピン３５ｄとを含むヒンジピンの１つの可能な配置が示されている。図１の実施形態では、第１のピボットピン３５ａと第２のピボットピン３５ｂと第３のピボットピン３５ｃと第４のピボットピン３５ｄとを含むヒンジピンは、第１の湾曲アーム３０ａまたは第２の湾曲アーム３０ｂの厚さ、および第１のフランジ７２ａまたは第２のフランジ７２ｂの厚さ、または第３のフランジ７２ｃまたは第４のフランジ７２ｄの厚さでそれぞれ延在している。
【００２７】
第１のピボットピン３５ａと第２のピボットピン３５ｂと第３のピボットピン３５ｃと第４のピボットピン３５ｄとを含むヒンジピンでは、ヒンジの作動は、例えばナイロン材料などのプラスチックから成っていてよい適切なブラシの使用によって提供される。これにより、滑らかなヒンジの動き、および望ましくは動きに対する抵抗の制御を可能にする。
【００２８】
１つの実施形態によれば、第１のピボットピン３５ａ、第２のピボットピン３５ｂ、第３のピボットピン３５ｃ、第４のピボットピン３５ｄは、互いに平行なヒンジ結合の各軸７５（１）〜７５（４）の周りに旋回する。
【００２９】
第１の湾曲アーム３０ａは実質的に、第１の部分４０ａの第１のピボットピン３５ａと第２の部分４０ｂの第２のピボットピン３５ｂとの間の中間点を中心とする半径のまわりに湾曲している。第２の湾曲アーム３０ｂは実質的に、第１の部分４０ａの第３のピボットピン３５ｃと第２の部分４０ｂの第４のピボットピン３５ｄとの間の中間点を中心とする半径のまわりに湾曲している。１つの実施形態では、第２の湾曲アーム３０ｂは、第１の湾曲アーム３０ａの長さよりも長い。
【００３０】
１つの実施形態によれば、第１の湾曲アーム３０ａと第２の湾曲アーム３０ｂとは、第１の部分４０ａおよび第２の部分４０ｂの厚さ８０分だけ互いにずらされており、第１の部分４０ａおよび第２の部分４０ｂに接続する点に隣接して互いに旋回可能に接続されている。第１の湾曲アーム３０ａと第２の湾曲アーム３０ｂとは、隠しヒンジ１０の第１の端部の第１の方向８５ａで互いに横方向に配置されており、かつ第１の方向８５ａが、第２の方向８５ｂに対して垂直となるように、隠しヒンジ１０の第２の端部の第２の方向８５ｂで互いに横方向に配置されている。
【００３１】
第１の可動リンクとしての第１の湾曲アーム３０ａは、第１の端部９０ａと第２の端部９０ｂとを有している。第１の可動リンクの第１の端部９０ａは側壁２５に連結されており、第１の可動リンクの第２の端部９０ｂは、ドア２０に連結されている。第２の可動リンクとしての第２の湾曲アーム３０ｂは、第１の端部９０ｃと第２の端部９０ｄとを有している。第２の可動リンクの第１の端部９０ｃは側壁２５に連結されており、第２の可動リンクの第２の端部９０ｄは、ドア２０に連結されている。
【００３２】
第２の可動リンクは、第１の可動リンクに対してリンクの連続的なセットとして、インターデジタル型に配置されており、かつ第１の可動リンクとは独立して動くように構成されている。隠しヒンジ１０の運動中、第２の可動リンクは、第１の可動リンクに対してスライド接触している。第１の可動リンクと第２の可動リンクとは、ドアの開口部に対して相対的なドア２０の全閉位置１５で、側壁２５とドア２０の背後に実質的に隠される。
【００３３】
第１の可動リンクは、ドア２０の全閉位置１５で、側壁２５とドア２０の背後に実質的に隠される第１のピボットピン３５ａと第２のピボットピン３５ｂとを含む。第２の可動リンクは、ドア２０の全閉位置１５で、側壁２５とドア２０の背後に実質的に隠される第３のピボットピン３５ｃと第４のピボットピン３５ｄとを含む。
【００３４】
隠しヒンジ１０は、様々なニーズに適応するために、家電製品およびキャビネット用のドアで使用されてもよい。全開位置から全閉位置１５まで、隠しヒンジ１０の動きまたは回転角度は一般的に約１８０°である。隠しヒンジ１０は、見える外部ヒンジ部分は有しておらず、鉄道車両のサイドスカートを１８０度開くために使用することができる。
【００３５】
隠しヒンジ１０は、ドア２０の背後にヒンジの部分を隠すことができ、このヒンジはさらに、２つの可動接続リンクと４つのピボット点しか必要としないので、容易に組み立てられるごく僅かな部品から成る極めてシンプルで安価な構造を提供することもできる。２つの組み立てられる部分と、４つのピボット点を有する２つの可動接続リンクとを有する隠しヒンジ１０は、完全に見えないままで、ドア２０を全閉位置１５へと旋回させることができる。特に、隠しヒンジ１０のこのようなシンプルな構造は、ドア２０が閉じているときにヒンジ自体を完全に隠すことができ、ドア２０が開いているときにコンパクトできれいな外観を示すことができる。
【００３６】
したがって、隠しヒンジ１０のような隠しマルチピボットヒンジにより、外部では見えないまま１８０度の開放が可能である。しかしながら、隠しヒンジ１０は、隠す必要がある、または見えなくする必要がある外部ヒンジのような様々な用途のために様々なヒンジ構造を提供してよい。
【００３７】
図２を参照すると、本発明の実施形態による、１／４開放位置２００にある図１の隠しヒンジ１０の等角図が示されている。次に図３を参照すると、本発明の実施形態による、半開放位置３００にある図１の隠しヒンジ１０の等角図が示されている。図４には、本発明の実施形態による、３／４開放位置４００にある図１の隠しヒンジ１０の等角図が示されている。
【００３８】
図５に示すように、図５は本発明の実施形態による全開位置５００にある図１の隠しヒンジ１０の等角図を示している。隠しヒンジ１０は、図１に示された全閉位置１５と図５に示した全開位置との間で、ドア２０を約１８０°旋回させることのできるヒンジ機能を提供する。
【００３９】
図６〜図１１に示すように、図６〜図１１は、本発明の実施態様により、隠しヒンジが、隠されたままで、外部ヒンジの動きをどのように達成するかを示す、図１の隠しヒンジ１０の側面図を示している。図６には、２本の交差する線６００および６０５が、１つの行程を通した隠しヒンジ１０の動きにおける特別な点において有効な回転中心または有効なピボット点６１０としての線６００，６０５の交点を示すために示されている。
【００４０】
図６〜図８からわかるように、有効なピボット点６１０は、ドア２０の開放への途上半分未満までは、ドア２０の内側に存在している。図９〜図１１からわかるように、有効なピボット点６１０は、ドア２０の開放の残り半分を越えると、ドア２０の外側に存在する。行程の大部分にわたってドア２０に対して外部に存在するように、有効なピボット点６１０を案内することにより、正味の結果は、実際に外部ヒンジを有することと同様になる。
【００４１】
図１２には、本発明の実施形態による、全閉位置７１０にあるガスストラット７０５を備えた隠しヒンジ７００の等角図が示されている。隠しヒンジは、図１に示したように（望ましいのであれば）ガスストラットとは独立していてもよく、または図１２に示したようにガスストラットと統合されていてもよい。ガスストラット７０５は、ドアの開放中、ドア７１５の重量を支持することができる。隠しヒンジ７００は、鉄道車両のサイドスカートであってよい側壁７２０にドア７１５をヒンジ固定することができる。
【００４２】
１つの実施形態では、ガスストラット７０５は一種のばねであって、典型的な金属ばねとは異なり、シリンダ内に含まれ、ピストンによって圧縮される圧縮ガスを使用して力を加える。ガスストラット７０５（「ガスばね」または「ガスショックス」と呼ばれることもある）は、力を加えるために圧縮窒素を使用し、緩衝を提供するために（「スナップ作用」を除去する）液圧回路を使用する。ガスストラット７０５は、僅かな移動を可能にはするが、持ち上げまたは移動を支援するものとしては意図されていない。
【００４３】
図１３によれば、図１３は本発明の実施形態による全開位置７２５にある図１２の隠しヒンジ７００の等角図を示している。隠しヒンジ７００は、ドアが旋回開閉される任意の用途のために使用されてよい。例えば、隠しヒンジ７００は、鉄道車両のサイドスカートの開口部に配置されてもよい。
【００４４】
図１４によれば、本発明の実施形態により、隠しヒンジ１０によって側壁２５にドア２０をヒンジ固定する方法９００のフローチャートが示されている。図１〜図１３で説明した部材と特徴が参照される。いくつかのステップは特定の順序で実施される必要はなく、これらいくつかのステップは選択的なものであることを理解されたい。
【００４５】
この方法９００では、ステップ９０５で、隠しヒンジ１０の第１の部分４０ａを隠しヒンジ１０の第２の部分４０ｂに、第１の端部と第２の端部とを有する第１の可動リンクのような第１の湾曲アーム３０ａによって接続する。この方法９００では、ステップ９１０で、隠しヒンジ１０の第１の部分４０ａを隠しヒンジ１０の第２の部分４０ｂに、第１の端部と第２の端部とを有する第２の可動リンクとしての第２の湾曲アーム３０ｂによって接続する。
【００４６】
ステップ９１５では、第１の可動リンクと第２の可動リンクとを、側壁２５の内面に取り付けられた第１の部分４０ａの厚さ、およびドア２０の内面に取り付けられた第２の部分４０ｂの厚さの分だけ互いにずらして接続する。ステップ９２０では、第１の可動リンクと第２の可動リンクとを、隠しヒンジ１０の第１の端部で、第１の方向で互いに横方向に配置する。ステップ９２５では、第１の可動リンクと第２の可動リンクとを、隠しヒンジ１０の第２の端部で、第２の方向で互いに横方向に配置して、第１の方向が第２の方向に対して垂直となるようにする。
【００４７】
本明細書で記載した技術は、２つの可動接続リンクと２つの組み立て部品とを有する隠し４点ピボット外部ヒンジのために特に有効となり得る。複数の接続リンクを備えたマルチピボットヒンジに関して特別な実施形態が説明されているが、本明細書で説明される技術は、複数の接続リンクを備えたマルチピボットヒンジに限定されるものではなく、図６〜図１１に関して前述したように、所望の有効なピボット点を達成するために、ばねまたはスライドローラも使用することができる。
【００４８】
本発明の実施形態による外部隠しヒンジは、通常使用で、一方の部品が他方の部品に取り付けられる２つの部品を接続するために使用することもできる。例えば、エンクロージャは、壁、スカート等に取り付けられるように設計されたドアを有していることがある。本発明の実施形態による外部隠しヒンジは、ドアを任意の形式のエンクロージャに取り付けるために、ドアをその他の構造に取り付けるために、または一般的には外部ヒンジが、見えない構造で求められる任意の下方の部分にヒンジ結合するために、使用されてよく、このとき少なくとも１８０度の回転角度が提供される。
【００４９】
本発明の実施の形態を実施例として開示したが、当業者には、以下の請求の範囲に記載の本発明およびその等価物の精神と範囲から逸脱することなく、様々な改良、追加、削除を行うことができることが明らかであろう。
【００５０】
実施形態と様々な特徴およびその有利な詳細は、添付の図面に示され、以下の説明で詳述される非限定的な実施形態を参照してより完全に説明される。公知の出発材料、加工技術、構成部材、装置の説明は、詳細な実施形態を不必要に不明確にしないために省略される。しかしながら、詳細な説明および特定の実施例は、本発明の好適な実施形態を示しているが、例示のために示されているだけであって、限定しようとするものではないことを理解されたい。根底を成す本発明の概念の思想および／または範囲内の様々な置き換え、修正、追加、および／または再編成は、この開示から当業者には明らかになるだろう。
【００５１】
本明細書で使用される場合、「備える」、「備えている」、「含む」、「含んでいる」、「有する」、「有している」の用語、またはこれらの用語固有のその他任意の変化形は、非排他的な包含を網羅しようとするものである。例えば、列挙した要素を含むプロセス、物品、または装置は、これらの要素にのみ限定される必要はなく、明示的に列挙されてはいないその他の要素、またはこのようなプロセス、物品、または装置に固有のその他の要素を含んでいてよい。
【００５２】
さらに、本明細書で示された例または図は、共に利用される任意の用語または複数の用語の限定、制限、または定義として決してみなされるべきではない。そうではなく、これらの例または図は、特別な実施形態に関する説明として、かつ単なる例としてみなされるべきである。当業者であれば、これらの例または図と共に用いられる任意の用語または複数の用語は、本明細書のこれらの用語と共にまたはその他の個所で与えられてよい、または与えられなくてもよい他の実施形態を包含し、これら全ての実施形態は、これら用語の範囲内に含まれることが意図されていることを理解するだろう。
【００５３】
明細書において、発明は、特定の典型的な実施の形態に関して上述されている。しかしながら当業者には、本発明の範囲から逸脱することなく、様々な修正および変更を行うことができることが理解される。したがって、本明細書と図面は、限定の意味ではなくて一例としてみなされるべきであり、このような変化形式の全ては、本発明の範囲内に含まれるべきである。
【００５４】
本発明を、特定の実施の形態に関して説明してきたが、これらの実施形態は、単なる例示であり、本発明を限定するものではない。本発明の図示した実施形態の本明細書における説明は、網羅的であること、または本発明を本明細書に開示した詳しい形態に限定することを意図したものではない（特に、任意の特別な実施形態、特徴、または機能を含むことは、本発明の範囲をこのような実施形態、特徴、または機能に限定しようとするものではない）。むしろ、説明は、本発明をいずれかの特定の実施形態、特徴または機能に限定することなく、本発明を理解するための文脈を当業者に提供するために例示的な実施形態、特徴および機能を説明することを意図している。本発明の特定の実施形態および実施例は、本明細書において例示的な目的のためだけに記載されているが、当業者が認識および理解するように、本発明の精神および範囲内で様々な同等の変更が可能である。示されているように、これらの変更は、本発明の図示された実施形態の前述の説明を考慮して本発明に行われ、本発明の精神および範囲内に含まれるべきである。したがって、本発明は、その特定の実施形態を参照して本明細書に記載されているが、上記開示においては変更の許容範囲、様々な変更および置換が意図されており、場合によっては、本発明の実施形態のいくつかの特徴は、記載された本発明の範囲および精神から逸脱することなく、他の特徴の対応する使用なしに採用される。したがって、多くの変更により、特定の状況または材料を、本発明の本質的な範囲と精神に適応させることができる。
【００５５】
「１つの実施形態では」、「ある実施形態では」、または「特定の実施形態では」という語句、またはこの明細書全体を通して様々な箇所での同様の専門用語は、必ずしも同じ実施形態を指しているわけではない。さらに、特定の実施形態の特定の特徴、構造、または特性は、１つまたは複数の他の実施形態と任意の適切な方法で組み合わせることができる。本明細書に記載され図示された実施形態の他の変形および修正が、本明細書の教示に照らして可能であり、本発明の精神および範囲の一部とみなされるべきであることを理解されたい。
【００５６】
本明細書の説明では、本発明の実施形態の完全な理解を提供するために、構成要素および／または方法の例のような多数の特定な詳細が提供される。しかしながら、当業者であれば、特定の詳細の１つ以上を有していなくても、または別の装置、システム、アセンブリ、方法、構成要素、材料、部品、および／またはその他類似のものを用いても、実施形態を実施できることを認識するだろう。他の例では、本発明の実施形態の態様を不明瞭にすることを避けるために、周知の構造、構成要素、システム、材料、または動作を具体的に図示または説明していない。本発明は特定の実施形態を用いて説明することができるが、これは本発明を特定の実施形態に限定するものではなく、当業者は追加の実施形態が容易に理解でき、本発明の一部であることを認識するであろう。
【００５７】
さらに、図面／図に示された１つ以上の要素は、特定の用途では有効であるように、より分離されたまたは統合された形式で組み込まれてもよく、またはいくつかの場合には除去され、動作不能なものとして設けられてもよい。
【００５８】
特定の実施形態に基づき、利益、その他の利点、問題を解決する手段について上述した。しかしながら、これらの利益、利点、問題を解決する手段、およびこれらの利益、利点、または解決する手段を生じさせるまたは顕在化させる可能性のある構成要素が、重要な、必要な、または不可欠な特徴または構成要素として解釈されるべきではない。
【図１】
2019504951.tif 000003
【図２】
2019504951.tif 000004
【図３】
2019504951.tif 000005
【図４】
2019504951.tif 000006
【図５】
2019504951.tif 000007
【図６】
2019504951.tif 000008
【図７】
2019504951.tif 000009
【図８】
2019504951.tif 000010
【図９】
2019504951.tif 000011
【図１０】
2019504951.tif 000012
【図１１】
2019504951.tif 000013
【図１２】
2019504951.tif 000014
【図１３】
2019504951.tif 000015
【図１４】
2019504951.tif 000016
【国際調査報告】
2019504951.tif 000017
2019504951.tif 000018